(57)【要約】【課題】防水シートの施工作業が困難な立ち上がり壁を有する下地においても十分な防水性能を有する防水構造および防水施工方法を提供することを目的とする。【解決手段】立ち上がり壁とそれに続く水平床からなる入隅部に用いる防水部材であって、弾性を有する合成樹脂製シートからなり、一の防水片とそれに続く他の防水片とからなる断面略Ｌ字形状であり、一の防水片と他の防水片の成す角が鈍角である入隅部用防水部材であり、これを用いた防水構造および防水工法である。【選択図】図１
2018059296.tif 000002
【特許請求の範囲】
【請求項１】
立ち上がり壁とそれに続く水平床からなる入隅部に用いる防水部材であって、
弾性を有する合成樹脂製シートからなり、一の防水片とそれに続く他の防水片とからなる断面略Ｌ字形状であり、前記一の防水片と前記他の防水片の成す角が鈍角であることを特徴とする入隅部用防水部材。
【請求項２】
立ち上がり壁とそれに続く水平床からなる入隅部の防水構造であって、
前記立ち上がり壁と前記水平床との交差部分である入隅と、請求項１に記載の入隅部用防水部材の前記一の防水片と前記他の防水片との交差部分である角部とが合わされ前記一の防水片が前記立ち上がり壁に圧着された状態で配置され、
前記一の防水片が前記立ち上がり壁に、前記他の防水片が前記水平床にそれぞれ固定されていることを特徴とする防水構造。
【請求項３】
立ち上がり壁とそれに続く水平床からなる入隅部の防水工法であって、
請求項１に記載の入隅部用防水部材の前記一の防水片と前記他の防水片との交差部分である角部を、前記立ち上がり壁と前記水平床との交差部分である入隅に合わせて前記一の防水片を前記立ち上がり壁に圧着させた状態で前記他の防水片を前記水平床に固定する工程と、
前記一の防水片を前記立ち上がり壁に固定する工程とを有することを特徴とする防水工法。
【発明の詳細な説明】
【技術分野】
【０００１】
本発明は、屋上や屋根、ベランダ等の防水構造の立ち上がり壁を有する入隅部に使用する防水部材および該防水部材を用いる防水構造、防水工法に関する。
【背景技術】
【０００２】
従来、ベランダ、バルコニー、陸屋根等における躯体を防水シートにより防水施工を行う場合、躯体のパラペット部分や室内への出入り口となるサッシ下など立ち上がり壁を有する入隅部においては、防水シートを水平床から立ち上がり壁に沿って立ち上げ躯体に接着して防水シート端部をシーリングで固定する方法や、立ち上がり壁に合成樹脂被覆鋼板を取り付けてそれに防水シートを溶融着するという方法を用いている。
【０００３】
特許文献１には、ベランダの窓枠サッシ下の施工法としてベランダ床に敷設された防水シートを窓枠サッシの下方のモルタル壁に沿って立ち上げ、モルタル壁の外側面に形成された防水シート取付溝に防水シートの上端縁を挿入し、そのシート取付溝内にパテを充填して固定するサッシ下の外装施工法が開示されている。
【先行技術文献】
【特許文献】
【０００４】
【特許文献１】特開平６−２４８７７９号公報
【０００５】
一方で、ベランダやバルコニーと屋内との出入り口付近の段差を小さくし、出入り時の段差による転倒などの危険を低減した建物がある。
【発明の概要】
【発明が解決しようとする課題】
【０００６】
このような建物では躯体の立ち上がり壁の水平床からの高さが非常に低いものであり、このような躯体に防水シートを施工する場合、前述したような方法では立ち上がり壁の高さが十分でないため作業しにくいといった問題がある。特に防水シートの改修作業においては、すでに設置されているサッシや水切りといった部材が障害となって作業が困難であった。そのため、防水施工を施しても立ち上がり壁の部分の防水性が不十分となる恐れがあった。通常、防水シートが十分に接合しているかどうか判断するため防水シート端部の小口に細い棒などをあてがい接合状態を確認するが、そのような確認作業も不可能である。
そこで、本発明は上記課題を解決するものであって、防水シートの施工作業が困難な立ち上がり壁を有する下地においても十分な防水性能を有する防水構造および防水工法を提供することを目的とする。
【課題を解決するための手段】
【０００７】
上記目的を達成するために本発明が講じた手段の概要は、弾性を有し断面がやや鈍角のＬ字形状である防水部材としたことである。
【０００８】
具体的には、立ち上がり壁とそれに続く水平床からなる入隅部に用いる防水部材であって、弾性を有する合成樹脂製シートからなり、一の防水片とそれに続く他の防水片とからなる断面略Ｌ字形状であり、一の防水片と他の防水片の成す角が鈍角である入隅部用防水部材である。本発明の防水部材によれば、入隅部に防水部材を配置する際に防水部材を弾性変形させつつ入隅部に合わせて配置することで一方の防水片を立ち上がり壁に圧着させることができ、施工作業が困難な立ち上がり壁を有する下地においてもこの圧着力を利用して防水片を立ち上がり壁に固定することができる。
【０００９】
また、立ち上がり壁とそれに続く水平床からなる入隅部の防水構造であって、立ち上がり壁と水平床との交差部分である入隅と、前述の入隅部用防水部材の一の防水片と他の防水片との交差部分である角部とが合わされ一の防水片が立ち上がり壁に圧着された状態で配置され、一の防水片が立ち上がり壁に、他の防水片が水平床にそれぞれ固定されている防水構造である。
【００１０】
またさらに、立ち上がり壁とそれに続く水平床からなる入隅部の防水工法であって、前述の入隅部用防水部材の一の防水片と他の防水片との交差部分である角部を、立ち上がり壁と水平床との交差部分である入隅に合わせて一の防水片を立ち上がり壁に圧着させた状態で他の防水片を水平床に固定する工程と、一の防水片を立ち上がり壁に固定する工程とを有する防水工法である。
【発明の効果】
【００１１】
本発明によれば、立ち上がり壁の高さが十分でない、また立ち上がり壁の上部に障害物等があり防水シートの施工作業が困難な立ち上がり壁を有する下地においても防水施工が可能であり、十分な防水性能を有する防水構造とすることができる。
【図面の簡単な説明】
【００１２】
【図１】本発明の入隅部用防水部材の例を示す斜視図である。
【図２】本発明の入隅部用防水部材の例を示す断面図である。
【図３】本発明の入隅部用防水部材を使用した入隅部の防水構造の部分断面図である。
【図４】本発明の入隅部用防水部材を使用した入隅部の防水工法の説明図である。
【図５】本発明の入隅部用防水部材を使用した入隅部の防水構造の部分断面図である。
【図６】本発明の入隅部用防水部材を使用した入隅部の防水工法の説明図である。
【図７】本発明の入隅部用防水部材を使用した入隅部の防水構造の部分断面図である。
【図８】本発明の入隅部用防水部材を使用した入隅部の防水構造の部分断面図である。
【発明を実施するための形態】
【００１３】
以下、本発明の実施形態について図面を用いて説明する。
【００１４】
図３は本発明の入隅部用防水部材を使用した防水構造の一例であり、建物のベランダの床部からサッシ下までの部分構造の断面を示している。水平床２２と、水平床２２からほぼ垂直に立ち上がるサッシ下の立ち上がり壁２１と、水平床２２と立ち上がり壁２１の交差部分である入隅２３からなる入隅部２が本発明の入隅部用防水部材１で覆われており、入隅部用防水部材１の一の防水片１１と入隅部２の立ち上がり壁２１、入隅部用防水部材１の他の防水片１２と入隅部２の水平床２２とがそれぞれ固定されている。
【００１５】
図１は図３の防水構造に使用されている入隅部用防水部材１の斜視図である。入隅部用防水部材１は断面が略Ｌ字形状の長尺板状の部材であり、平板状の一の防水片１１と同じく平板状の他の防水片１２とが成す角が直角ではなくやや鈍角に形成されている。入隅部用防水部材１は弾性を有する材質からなり、例えばポリ塩化ビニル系樹脂、ポリエチレン樹脂やポリプロピレン樹脂などのオレフィン系樹脂、アクリル系樹脂、ポリスチレン系樹脂などの熱可塑性樹脂や、熱可塑性エラストマー、ゴムなどの組成物からなるものが好ましい。また寸法安定性や強度を補強するために基材を積層しても良く、ガラスクロスやポリエステルクロスなどの基布を積層することができる。
【００１６】
図２に本発明の入隅部用防水部材１の断面図を示す。入隅部用防水部材１は一の防水片１１と他の防水片１２との交差部分である角部１３を有している。角部１３は（２−１）のような角を成していてもよく、（２−２）のように弧を成していてもよい。一の防水片１１と他の防水片１２の成す角θの角度は、鈍角（９０°＜θ＜１８０°）であり、好ましくは１００°＜θ＜１４０°である。（２−２）のように角部１３が弧を成している場合は、一の防水片１１の端縁部の接線Ｐ１と他の防水片１２の接線Ｐ２とが交わり形成する角をθとする。
このように入隅用防水部材１の一の防水片１１と他の防水片１２とのなす角を鈍角とすることで、入隅用防水部材１を入隅部に密着させた際に立ち上がり壁２１に接する一の防水片１１が入隅用防水部材１の弾性力により立ち上がり壁２１に密着し、一の防水片１１を立ち上がり壁２１に接合する際に接合作業が容易になる。さらに、接合後も一の防水片１１が立ち上がり壁２１に密着した状態で固定され、美観の点および防水性能の面においても優れる。
【００１７】
入隅部用防水部材１の厚さは１ｍｍ〜３ｍｍで好ましくは１．５ｍｍ〜２ｍｍである。寸法は施工場所により適宜設計することができる。一例として挙げると、図３におけるサッシ下の立ち上がり壁２１の高さが２０ｍｍの場合は、一の防水片１１の長さａ１は１５ｍｍ程度に設計すればよい。また施工場所によっては不陸や水勾配があり立ち上がり壁２１の高さが一定でないことがあるため、適宜現場に合わせてカットして一の防水片１１の長さａ１を調整することもできる。他の防水片１２の長さａ２も同様であるが、水平床２２において別の防水部材とラップすることを考慮すると他の防水片１２の長さａ２は４０ｍｍ以上あることが好ましい。入隅部用防水部材１の幅についても適宜設計できるが、本発明において施工性を考慮すると５０ｍｍ〜１００ｍｍ程度が扱いやすく好ましい。
【００１８】
入隅部用防水部材１の製造方法としては、押出成形、ロール成形、カレンダー成形などの各種シート成形方法によりシートを成形したあと、曲げ加工や熱プレスなどの後加工により略Ｌ字形状に形成する方法や、またはあらかじめ略Ｌ字型のダイを用意して押出成形によりワンステップで製造する方法がある。
【００１９】
続いて本発明の入隅部用防水部材を使用した防水構造について図３を用いて説明する。
【００２０】
図３において、立ち上がり壁２１、水平床２２および入隅２３から構成される入隅部２はコンクリート下地（ＲＣ）Ａ１からなる。入隅部２には表面を塩化ビニル系樹脂で被覆されたＬ字型のポリ塩化ビニル系の樹脂被覆鋼板４がビス６で止め付けられており、その上からポリ塩化ビニル系樹脂組成物からなる入隅部用防水部材１ａにより覆われている。入隅部用防水部材１ａとＬ字型のポリ塩化ビニル系の樹脂被覆鋼板４とは溶着されており、立ち上がり壁２１に入隅部用防水部材１ａの一の防水片１１ａが、水平床２２に入隅部用防水部材１の他の防水片１２ａがそれぞれ固定されている。水平床２２の平場部分はポリ塩化ビニル系樹脂組成物からなる防水シート３ａで覆われており、防水シート３ａの端縁部３１ａが入隅部用防水部材１の他の防水片１２ａの上部に重ねられ溶着されている。防水シート３ａの端部はシーリング材５で処理されている。
【００２１】
図７は同じく本発明の入隅部用防水部材を使用した防水構造を示すものであるが、図３と異なる点は防水シート３が水平床２２全体に敷設固定され、その上からＬ字型の樹脂被覆鋼板４が入隅部２にビス６で止め付けられており、入隅部用防水部材１は樹脂被覆鋼板４を覆いさらに防水シート３の上部にわたって溶着固定されていることである。また入隅部用防水部材１の他の防水片１２の端部はシーリング材５で処理されている。
【００２２】
入隅部用防水部材１と樹脂被覆鋼板４または防水シート３との固定は、溶着固定に限らず接着剤や両面テープなどによる接着固定でも可能である。また入隅部２を構成する下地Ａも特に限定されず、鉄筋コンクリート（ＲＣ）、プレキャストコンクリート（ＰＣ）、軽量気泡コンクリート（ＡＬＣ）等、さまざまな下地に対応できる。
【００２３】
次に本発明の入隅部用防水部材の施工方法について図４を用いて説明する。
【００２４】
施工手順としてはまず図４の（４−１）に示すように、入隅部２にＬ字型のポリ塩化ビニル系の樹脂被覆鋼板４をビス６で止め付ける。続いて（４−２）〜（４−３）に示すようにポリ塩化ビニル系樹脂組成物からなる入隅部用防水部材１ａを、他の防水片１２ａを水平床２２側に配置し、入隅部用防水部材１ａを弾性変形させながら入隅部２の入隅２３に入隅部用防水部材１ａの角部１３ａを合わせ、一の防水片１１ａを立ち上がり壁２１に圧着させた状態で配置する。そしてまず水平床２２に止め付けられたポリ塩化ビニル系の樹脂被覆鋼板４と入隅部用防水部材１の他の防水片１２ａとを加熱溶着または溶剤溶着により溶着する。ポリ塩化ビニル系の樹脂被覆鋼板４に他の防水片１２ａが溶着固定された後、立ち上がり壁２１に重なるポリ塩化ビニル系の樹脂被覆鋼板４と入隅部用防水部材１の一の防水片１１ａとを加熱溶着または溶剤溶着により溶着する。
水平床２２の平場部分はポリ塩化ビニル系樹脂組成物からなる防水シート３ａを敷設施工し、図３のように防水シート３ａの端縁部３１ａを入隅部用防水部材１の他の防水片１２ａの上部に重ね、加熱溶着または溶剤溶着により溶着する。防水シート３ａの端部をシーリング材５で処理する。
このように入隅用防水部材１の一の防水片１１と他の防水片１２とのなす角を鈍角とに構成されているので、入隅用防水部材１を入隅部に密着させた際に立ち上がり壁２１に接する一の防水片１１が入隅用防水部材１の弾性力により立ち上がり壁２１に密着し、一の防水片１１を立ち上がり壁２１に接合する際に接合作業が容易になる。さらに、接合後も一の防水片１１が立ち上がり壁２１に密着した状態で固定され、美観の点および防水性能の面においても優れる。
【００２５】
図７の場合は、はじめに水平床２２に防水シート３を敷設固定したあと、図４の（４−１）〜（４−３）の手順で施工する。最後に入隅部用防水部材１の他の防水片１２の端縁部と防水シート３との重なり部分を溶着等で固定し、入隅部用防水部材１の他の防水片１２の端部をシーリング材５で処理する。
【００２６】
続いて本発明の入隅部用防水部材を使用した改修防水構造について図５を用いて説明する。
【００２７】
図５において、立ち上がり壁２１、水平床２２および入隅２３から構成される入隅部２はコンクリート下地（ＲＣ）Ａ１からなリ、入隅部２にはポリ塩化ビニル系樹脂組成物からなる既存の防水シート７ａが敷設施工されており、その上からポリ塩化ビニル系樹脂組成物からなる入隅部用防水部材１ａにより覆われている。入隅部用防水部材１ａと既存の防水シート７ａとは溶着されており、既存の防水シート７ａを介して立ち上がり壁２１に入隅部用防水部材１ａの一の防水片１１ａが、水平床２２に入隅部用防水部材１ａの他の防水片１２ａがそれぞれ固定されている。水平床２２の平場部分はポリ塩化ビニル系樹脂組成物からなる防水シート３ａで覆われており、防水シート３ａの端縁部３１ａが入隅部用防水部材１の他の防水片１２ａの上部に重ねられ溶着されている。防水シート３ａの端部はシーリング材５で処理されている。
【００２８】
図８は同じく本発明の入隅部用防水部材を使用した改修防水構造を示すものであるが、図５と異なる点は防水シート３が既存の防水シート７の上に敷設固定され、既存の防水シート７および防水シート３を介して入隅部用防水部材１の他の防水片１２が水平床２２に固定されていることである。また入隅部用防水部材１の他の防水片１２の端部はシーリング材５で処理されている。
なお、図５および図８において、既存の防水シート７と防水シート３との間に可塑剤の移行を防止するための緩衝シートが介在されていてもよい。
また、改修防水構造において、改修前の入隅部の防水構造は図５、図８に示した水平床２２から立ち上がり壁２１に既存の防水シート７を設ける防水構造だけでなく、これ以外の防水構造に対しても本発明の改修防水構造を適用することができる。
【００２９】
次に改修施工における本発明の入隅部用防水部材の施工方法について図６を用いて説明する。
【００３０】
図６の（６−１）は入隅部２の水平床２２から立ち上がり壁２１にかけてポリ塩化ビニル系樹脂組成物からなる既存の防水シート７ａが施工されている図を示したものである。施工手順は（６−２）〜（６−３）に示すようにポリ塩化ビニル系樹脂組成物からなる入隅部用防水部材１ａを、他の防水片１２ａを水平床２２側に配置して入隅部２の入隅２３に入隅部用防水部材１ａの角部１３ａを合わせ、一の防水片１１ａを立ち上がり壁２１に圧着させた状態で配置する。そしてまず水平床２２に敷設施工されたポリ塩化ビニル系樹脂組成物からなる既存の防水シート７ａと入隅部用防水部材１の他の防水片１２ａとを加熱溶着または溶剤溶着により溶着する。既存の防水シート７ａに他の防水片１２ａが溶着固定された後、立ち上がり壁２１に施工されているポリ塩化ビニル系樹脂組成物からなる既存の防水シート７ａと入隅部用防水部材１の一の防水片１１ａとを加熱溶着または溶剤溶着により溶着する。
水平床２２の平場部分は既存の防水シート７ａの上からポリ塩化ビニル系樹脂組成物からなる防水シート３ａを敷設施工し、図３のように防水シート３ａの端縁部３１ａを入隅部用防水部材１の他の防水片１２ａの上部に重ね、加熱溶着または溶剤溶着により溶着する。防水シート３ａの端部をシーリング材５で処理する。
【００３１】
図８の場合は、はじめに水平床２２上の既存の防水シート７の上に防水シート３を敷設固定したあと、図６の（６−１）〜（６−３）の手順で施工する。最後に入隅部用防水部材１の他の防水片１２の端部をシーリング材５で処理する。
【産業上の利用可能性】
【００３２】
本発明によれば、立ち上がり壁の高さが十分でなく、立ち上がり壁の上部に障害物等があり防水シートの施工作業が困難な立ち上がり壁を有する入隅部においても容易に防水施工をすることができ、十分な防水性能を有する防水構造を得ることができる。
したがって本発明は、新規防水施工はもちろん改修防水施工にも好適であり、ベランダやバルコニーの掃き出し窓下部や集合住宅の開放廊下の玄関出入り口下など、その他立ち上がり壁の低い入隅部に好適に利用できる。
【符号の説明】
【００３３】
１    入隅部用防水部材
１１    一の防水片
１２    他の防水片
１３    角部
２    入隅部
２１    立ち上がり壁
２２    水平床
２３    入隅
３    防水シート
３１    端縁部
４    樹脂被覆鋼板
５    シーリング材
６    ビス
７    既存の防水シート
Ａ    下地
【図１】
2018059296.tif 000003
【図２】
2018059296.tif 000004
【図３】
2018059296.tif 000005
【図４】
2018059296.tif 000006
【図５】
2018059296.tif 000007
【図６】
2018059296.tif 000008
【図７】
2018059296.tif 000009
【図８】
2018059296.tif 000010